(57)【要約】【課題】  回路規模が小さく複雑なソフト制御を排した簡易盗聴防止機能を提供する。【解決手段】  送信側動作として、端末より入力されたアクセスコードによりスクランブルパターン発生回路のスクランブル段数、周期および初期値が決定され、送信する主信号に対してスクランブルを実行することでデータを暗号化する。同じくフレーム同期パタ−ンもアクセスコードから設定されとフレーム同期パターンを発生し主信号に多重化する。スクランブパターン発生回路を設定した情報の一部が復元コードとしてフレームパターンと同じように主信号に多重化される。受信側は、入力されたアクセスコードからフレーム同期パターンを生成し受信信号の同期が行われる。受信信号から分離した復元コードとアクセスコードからのスクランブル情報でスクランブルパターン発生回路を設定し、送信側と同一のパターンを生成しデスクランブルを実行することでデータ信号が復元される。【選択図】        図１
2005244665.tif 000002
【特許請求の範囲】
【請求項１】
盗聴防止機能を有するSDH無線通信装置において、
送信側に、
設定されたアクセスコードによってスクランブルパターン制御信号およびフレーム同期パターン制御信号を生成する制御回路と、
STM-1フレーム信号に対して前記制御回路からのスクランブルパターン制御信号によりスクランブルをかけてスクランブルパターンを生成するスクランブルパターン発生回路と、
前記スクランブルパターン発生回路が発生したスクランブルパターンによって主信号を暗号化するスクランブラーと、
前記STM-1フレーム信号に対して前記制御回路からのフレーム同期パターン制御信号によりフレーム同期パターンを生成するフレーム同期パターン発生回路と、
前記スクランブラーからの暗号化された主信号と前記フレーム同期パターン発生回路からのフレーム同期パターンとを多重化する多重化回路とを設け、
受信側に、
前記アクセスコードによってスクランブルパターン制御信号およびフレーム同期パターン制御信号を生成する制御回路と、
前記制御回路からのフレーム同期パターン制御信号によりフレーム同期パターンを生成するフレームパターン発生回路と、
前記フレームパターン発生回路が発生したフレーム同期パターンにより、受信した主信号からフレーム同期パターンを検出してマルチフレームの同期を行い、またフレームの先頭位置を示すフレーム信号およびSTM-1信号を出力するフレーム同期回路と、
フレーム同期回路によって出力されるSTM-1信号から、フレーム同期回路によって出力されるフレーム信号により復元コードを分離する分離回路と、
前記制御回路からのスクランブルパターン制御信号と前記フレーム同期回路からのフレーム信号と前記分離回路からの復元コードとによりスクランブルパターンを生成するスクランブルパターン発生回路と、
前記フレーム同期回路によって出力される暗号化されているSTM-1信号に対して前記スクランブルパターン発生回路からのスクランブルパターンによってスクランブルを行いスクランブルパターンを取り除いて復元されたSTM-1信号として出力するデスクランブラーとを設けたことを特徴とするSDH無線通信装置。
【請求項２】
前記送信側の制御回路は、
前記アクセスコードとランダムに発生させた乱数とを演算して復元コードを生成する第１の処理回路と、
前記アクセスコードに演算を施してフレーム同期パターン情報を生成する第２の処理回路と、
前記アクセスコードから初期値情報を生成する第３の処理回路とで構成され、
前記スクランブルパターン発生回路は、STM-1フレーム信号をタイミング信号として、かつ前記マッピング情報で指定される時間位置を起点として、前記初期値情報で前記スクランブラーの初期値を設定し、また前記復元コードから前記スクランブラーの段数および周期を決定して設定し、
前記フレーム同期パターン発生回路は、STM-1フレーム信号をタイミング信号として、かつ前記マッピング情報で指定される時間位置を起点として、フレーム同期パターン情報と復元コードを使用してフレーム同期パターンを生成し、
前記受信側の制御回路は前記第２の処理回路と前記第３の処理回路とで構成され、
前記フレーム同期パターン発生回路は前記第２の処理回路からのフレーム同期パターン情報によりフレーム同期パターンを前記フレーム同期回路に順次送出し、
前記分離回路は前記フレーム同期回路からのフレーム信号を元にST-M信号に同期して復元コードを分離抽出し前記スクランブルパターン発生回路に出力し、
前記スクランブルパターン発生回路は前記第４の処理回路からの初期値情報と前記分離回路からの復元コードとによりスクランブルパターンを生成することを特徴とする請求項１記載のSDH無線通信装置。
【請求項３】
前記送信側の制御回路および受信側の制御回路に、前駆アクセスコードに基づいて同一のマッピング情報を生成する処理回路を設け、
前記スクランブルパターン発生回路，前記フレーム同期パターン発生回路および前記分離回路は、前記マッピング情報で指定されるSTM-1オーバーヘッドバイトを使用して機能することを特徴とする請求項２記載のSDH無線通信装置。
【請求項４】
前記アクセスコードは前記制御回路に接続される端末から入力されることを特徴とする請求項１ないし３のいずれかに記載のSDH無線通信装置。
【発明の詳細な説明】
【技術分野】
【０００１】
本発明はSDH（Synchronous Digital Hierarchy）無線通信装置に関し、特にSDHに対応した信号を伝送し盗聴防止機能を有する無線通信装置に関する。
【背景技術】
【０００２】
近年、携帯端末の需要増加に伴って無線アクセス装置の需要が急激に拡大して、デジタルマイクロ波無線装置が氾濫することとなり、セキュリティ機能強化に対応する要請が強まってきている。
【０００３】
このような要請に応えるために、従来、通話サービスが開始された無線基地局と無線子機について、秘匿の方法で秘匿の初期値を共通に変更することで通話を不可能にするようにした技術がが知られている（例えば、特許文献１参照）。
【０００４】
この技術は、子機がＰＨＳ等の携帯型端末である場合に子機自体が盗難に遭うことを想定して、接続可能な子機を制限することを目的とする。子機は発信または着信時に秘匿データＡを乱数により生成して基地局に送信する。そして、特定データと秘匿データＡで演算により秘匿データＢを計算し、その計算結果をスクランブルレジスタの初期値とする。音声データの送受信を開始後、各フレームで送受信される音声データを無線基地局、子機の双方で秘匿データＢにより、１６段のＰＮパターンで生成したスクランブルデータと排他的論理和することで、送信側の送信データ生成、受信側の音声データ解読を行うようにしている。
【０００５】
【特許文献１】特開平１１−８８９４９（第１頁、図１）
【発明の開示】
【発明が解決しようとする課題】
【０００６】
しかしながら、上述した特許文献１記載の技術では、無線基地局と子機とで共通の秘匿データを使用することとし、無線基地局と子機で秘匿データを生成しているため、特定データ入力用の保守端末と、秘匿データ演算とを必要とするという問題点がある。
【０００７】
そこで、本発明の主な目的は簡易なSDH無線通信装置を提供することにある。
【課題を解決するための手段】
【０００８】
請求項１記載の発明は、盗聴防止機能を有するSDH無線通信装置において、送信側に、設定されたアクセスコードによってスクランブルパターン制御信号およびフレーム同期パターン制御信号を生成する制御回路（図１の１１）と、STM-1フレーム信号に対して制御回路からのスクランブルパターン制御信号によりスクランブルをかけてスクランブルパターンを生成するスクランブルパターン発生回路（図１の１２）と、スクランブルパターン発生回路が発生したスクランブルパターンによって主信号を暗号化するスクランブラー（図１の１３）と、STM-1フレーム信号に対して制御回路からのフレーム同期パターン制御信号によりフレーム同期パターンを生成するフレーム同期パターン発生回路（図１の１４）と、スクランブラーからの暗号化された主信号とフレーム同期パターン発生回路からのフレーム同期パターンとを多重化する多重化回路（図１の１５）とを設け、受信側に、アクセスコードによってスクランブルパターン制御信号およびフレーム同期パターン制御信号を生成する制御回路（図２の２１）と、制御回路からのフレーム同期パターン制御信号によりフレーム同期パターンを生成するフレームパターン発生回路（図２の２４）と、フレームパターン発生回路が発生したフレーム同期パターンにより、受信した主信号からフレーム同期パターンを検出してマルチフレームの同期を行い、またフレームの先頭位置を示すフレーム信号およびSTM-1信号を出力するフレーム同期回路（図２の２９）と、フレーム同期回路によって出力されるSTM-1信号から、フレーム同期回路によって出力されるフレーム信号により復元コードを分離する分離回路（図２の２５）と、制御回路からのスクランブルパターン制御信号とフレーム同期回路からのフレーム信号と分離回路からの復元コードとによりスクランブルパターンを生成するスクランブルパターン発生回路（図２の２２）と、フレーム同期回路によって出力される暗号化されているSTM-1信号に対してスクランブルパターン発生回路からのスクランブルパターンによってスクランブルを行いスクランブルパターンを取り除いて復元されたSTM-1信号として出力するデスクランブラー（図２の２３）とを設けたことを特徴とする。
【０００９】
請求項２記載の発明は、請求項１記載の発明において、送信側の制御回路（図１１の３１）は、アクセスコードとランダムに発生させた乱数とを演算して復元コードを生成する第１の処理回路（図１１の１０１）と、アクセスコードに演算を施してフレーム同期パターン情報を生成する第２の処理回路（図１１の１０２）と、アクセスコードから初期値情報を生成する第３の処理回路（図１１の１０４）とで構成される。そして、スクランブルパターン発生回路は、STM-1フレーム信号をタイミング信号として、かつマッピング情報で指定される時間位置を起点として、初期値情報でスクランブラーの初期値を設定し、また復元コードからスクランブラーの段数および周期を決定して設定し、フレーム同期パターン発生回路は、STM-1フレーム信号をタイミング信号として、かつマッピング情報で指定される時間位置を起点として、フレーム同期パターン情報と復元コードを使用してフレーム同期パターンを生成する。また、受信側の制御回路（図１２の４１）は前記第２の処理回路（図１２の２０２）と前記第４の処理回路（図１２の２０４）とで構成される。そして、フレーム同期パターン発生回路は第２の処理回路からのフレーム同期パターン情報によりフレーム同期パターンをフレーム同期回路に順次送出し、分離回路はフレーム同期回路からのフレーム信号を元にST-M信号に同期して復元コードを分離抽出しスクランブルパターン発生回路に出力し、スクランブルパターン発生回路は第４の処理回路からの初期値情報と分離回路からの復元コードとによりスクランブルパターンを生成することを特徴とする。
【００１０】
請求項３記載の発明は、請求項２記載の発明において、送信側の制御回路（図３の１１）および受信側の制御回路（図４の２１）に、アクセスコードに基づいて同一のマッピング情報を生成する処理回路（図３の１０３、図４の２０３）を設け、スクランブルパターン発生回路，フレーム同期パターン発生回路および分離回路は、マッピング情報で指定されるSTM-1オーバーヘッドバイトを使用して機能することを特徴とする。
【００１１】
このSDH無線通信装置の送信側の制御回路では、入力されたアクセスコードとランダムに発生させた乱数とを例えば四則演算して、受信側のスクランブルパターン発生回路で送信側と同一のパターンを発生させるための制御信号となる復元コードを生成する。この復元コードは、同一のアクセスコードを入力しても乱数を使用しているため同じコードとならないようなランダム性を持たせている。また、ｎ文字の入力アクセスコードに固定値を加えるなどの処理を行ってフレーム同期パターンを生成する。
【００１２】
同様に、スクランブルパターン発生回路における発生パターンの初期値やパターン長、周期を設定する制御信号を生成する。また、どのオーバーヘッド情報をフレーム同期バイトとして使用するかを決定しその位置情報（以下、「マッピング情報」という）の出力を行う。
【００１３】
送信側のフレーム同期パターン発生回路は、制御回路で生成された同期パターンと復元コードを組み合わせてフレーム同期パターンを決定し、マッピング情報とSTM-1フレーム信号によってSTM-1フレームに同期したフレーム同期パターンを発生する。
【００１４】
スクランブルパターン発生回路は、復元コードと初期値やパターン長、周期情報によってスクランブル回路を設定し、マッピング情報とSTM-1フレーム信号によってSTM-1フレームに同期したスクランブルパターンを発生する。スクランブラーで主信号にスクランブルを実行し、多重化回路でフレーム同期パターンの多重化が行われる。
【００１５】
受信側では、送信側と同様にアクセスコードからフレーム同期パターンおよびスクランブルパターン発生回路用の発生パターンの初期値およびマッピング情報を生成する。フレーム同期パターン発生回路では、フレーム同期回路からのフレーム信号によって同期パターンを順次送り出す。フレーム同期回路では、この同期パターンを元にフレーム同期を確立する。
【００１６】
分離回路ではマッピング情報によりデータ列より復元コードを分離してスクランブルパターン発生回路に出力する。スクランブルパターン発生回路では、復元コードとアクセスコードから生成された初期値信号より送信側で生成された信号とまったく同一のスクランブルパターンを生成し、フレーム信号のタイミングで出力する。デスクランブラーでは、主信号とスクランブルパターンとがデスクランブルされ主信号が復元される。
【００１７】
このように、送信側と受信側とでアクセスコードが一致したときのみ信号を復元することが可能な盗聴防止つきの無線伝送システムを構築することができる。このアクセスコードは、加工されて同期パターンや復元コードとなるため、単純には解読されない信号となり、少ない回路構成で簡易的な盗聴防止機能を付加することができるという効果が得られる。
【００１８】
尚、アクセスコードは送信側と受信側とで予め打ち合わせなどにより定められているもので、原則としてＰＣなどの端末から、送信側・受信側それぞれにおいて人為的に入力されるものである。
【発明の効果】
【００１９】
以上説明したように、本願発明によれば、主信号の信号処理と無線信号の信号処理の間の部分に信号を簡易的に暗号化するスクランブラーと、独自のフレーム同期パターンを多重化する多重化回路と、制御回路に設定されたアクセスコードによってパターンを変化させるスクランブルパターン発生回路と、同じくアクセスコードによって生成されるフレーム同期パターンを発生させるフレームパターン発生回路を設けるという基本構成に基づき、設定されたアクセスコードからフレーム同期パターンおよび多重位置およびスクランブルパターンを発生させることで無線送信信号にスクランブルを行い、また、受信側で同じアクセスコードによって発生させたフレーム同期パターン、デスクランブルパターンで信号を復元することで簡易盗聴防止機能が提供される。
【発明を実施するための最良の形態】
【００２０】
本発明のSDH無線通信装置は、送信側において主信号の信号処理と無線信号の信号処理の間の部分に信号を簡易的に暗号化するスクランブラーと、独自のフレーム同期パターンを多重化する多重化回路と、発生パターンを変化させることのできるスクランブルパターン発生回路と、設定によって複数の同期パターンを発生させることのできるフレーム同期パターン発生回路と、ＰＣ等の端末より入力されたパスワードに相当するコード（以下アクセスコードと呼ぶ）によりスクランブルパターン発生回路とフレーム同期パターン発生回路を制御する制御信号を生成する制御回路とを設ける。
【００２１】
また、受信側においてはフレーム同期回路と、同期後の信号から必要なデータを抽出する分離回路と、スクランブルパターンを取り除くデスクランブラーと、送信側と同様のフレーム同期パターンを発生するフレーム同期パターン発生回路と、スクランブルパターン発生回路と、端末より入力されたアクセスコードからスクランブルパターン発生回路とフレーム同期パターン発生回路を制御する制御信号を生成する制御回路とを備えたことを特徴とする。
【実施例１】
【００２２】
図１は本発明のSDH無線通信装置の送信側を示す。図１において、STM-1信号処理回路１０は、多重分離装置から入力するSTM-1信号を処理して主信号とSTM-1フレーム信号を出力する。図１の点線で囲んだブロックが本発明の特徴的な部位を示しており、STM-1信号処理回路１０からの主信号とSTM-1フレーム信号の多重処理を行う。無線信号処理回路１６はそれを無線信号とし変調器１７で変調して送信器１８から無線出力を送信する。
【００２３】
制御回路１１は、設定されたアクセスコードによってスクランブルパターン制御信号およびフレーム同期パターン制御信号を生成する。制御回路１１に設定されるアクセスコードは、接続されるパソコン等端末から入力される。
【００２４】
スクランブルパターン発生回路１２は、STM-1信号処理回路１０が出力するSTM-1フレーム信号に対して、制御回路１１からのスクランブルパターン制御信号によりスクランブルをかけてスクランブルパターンを生成する。スクランブラー１３は、スクランブルパターン発生回路１２が発生したスクランブルパターンによって、STM-1信号処理回路１０が出力する主信号を暗号化する。
【００２５】
フレーム同期パターン発生回路１４は、STM-1信号処理回路１０が出力するSTM-1フレーム信号に対して、制御回路１１からのフレーム同期パターン制御信号によりフレーム同期パターンを生成する。多重化回路１５は、スクランブラー１３からの暗号化された主信号と、フレーム同期パターン発生回路１４からのフレーム同期パターンとを多重化する。
【００２６】
図２は本発明のSDH無線通信装置の受信側を示す。図２において、受信器２８は無線入力を受信し、復調器２７で復調して無線信号処理回路２６は暗号化されているSTM-1信号を出力する。点線で囲んだブロックが本発明の特徴的な部位を示しており、主信号とフレーム同期パターンを分離しスクランブルパターンを取り除いて復号化した主信号をSTM-1信号処理回路２０に出力する。STM-1信号処理回路２０は国際規格に則った処理を行いSTM-1信号をを出力する。
【００２７】
制御回路２１は、復元コードを生成しない点を除いては制御回路１１と同じ機能を有する。受信側で復元コードを生成しないことは、盗聴防止上当然のことである。
【００２８】
フレームパターン発生回路２４は、制御回路２１からのフレーム同期パターン制御信号によりフレーム同期パターンを生成する。
【００２９】
フレーム同期回路２９は、フレームパターン発生回路２４が発生したフレーム同期パターンにより、受信した主信号からフレーム同期パターンを検出してマルチフレームの同期を行う。このとき、フレームの先頭位置を示すフレーム信号を出力する。フレーム同期回路２９は、またSTM-1信号を出力する。
【００３０】
分離回路２５は、フレーム同期回路２９によって出力されるSTM-1信号から、フレーム同期回路２９によって出力されるフレーム信号により復元コードを分離する。スクランブルパターン発生回路２２は、制御回路２１からのスクランブルパターン制御信号と、フレーム同期回路２９からのフレーム信号と、分離回路２５からの復元コードとによりスクランブルパターンを生成する。
【００３１】
デスクランブラー２３は、フレーム同期回路２９によって出力される暗号化されているSTM-1信号に対して、スクランブルパターン発生回路２２からのスクランブルパターンによってスクランブルを行い、スクランブルパターンを取り除き、復元されたSTM-1信号をSTM-1信号処理回路２０に出力する。
【００３２】
図３は送信側の制御回路１１の詳細図をスクランブルパターン発生回路１２およびフレーム同期パターン発生回路１４と共に示す。制御回路１１は、スクランブルパターン発生回路１２で生成するスクランブルパターン、およびフレーム同期パターン発生回路１４で生成されるフレーム同期パターンの制御を行う回路であり、それらは端末から入力されたアクセスコードを元に行なわれる。
【００３３】
図３に示した例では、制御回路１１は、入力されたアクセスコードに処理を施して、復元コード，フレーム同期パターン情報，マッピング情報および初期値情報を生成する。復元コード，フレーム同期パターン情報およびマッピング情報は図１および図２におけるフレーム同期パターン制御信号を構成し、復元コード，初期値情報およびマッピング情報は図１および図２におけるスクランブルパターン制御信号を構成する。
【００３４】
制御回路１１は復元コードを生成する処理回路１０１と、フレーム同期パターン情報を生成する処理回路１０２と、マッピング情報を生成する処理回路１０３と、初期値情報を生成する処理回路１０４とで構成される。以下、各処理回路１０１〜１０４の動作について、それぞれ図７〜図１０を用いて説明する。
【００３５】
処理回路１０１は、アクセスコードとランダムに発生させた乱数とを演算して復元コードを生成する。図７に示す生成例では、アクセスコード「ＰＡＳＳＷＯＲＤ」１６進ＡＳＣＩＩ表示「50」,「41」〜「44」の全ての加算結果に乱数の１６進表示「86」を加えた「2F9」の下８ビット「F9」を復元コードとしている。このような復元コードは乱数を使用しているため、たとえ同じアクセスコードを入力したとしても、同一のコードが生成される可能性は非常に低くなっている。
【００３６】
処理回路１０２は、アクセスコードからフレーム同期パターン情報を生成する。図８に示す生成例では、アクセスコード「ＰＡＳＳＷＯＲＤ」の各文字の１６進ＡＳＣＩＩ表示「50」,「41」〜「44」それぞれに、予め決めておいて固定値「A9」，「B8」〜「12」を加算し、それぞれ８バイトのフレーム同期パターンを生成し、これらのフレーム同期パターンの加算結果をフレーム同期パターン情報としている。なお、フレーム同期パターンは、アクセスコードそのものとしてもよい。
【００３７】
処理回路１０３は、アクセスコードからマッピング情報を生成する。生成されるマッピング情報は、図６に示すITU-T勧告のSTM-1信号のオーバーヘッドマッピングを利用する。図６において信号名が記載されているマスは勧告で定義されているバイト、空欄は未定義バイトである。この未定義バイト位置に１から３４の番号を割り振り、全アクセスコードの加算結果を３４で割り、その余りと同じ番号の未定義バイトをフレーム同期バイトとして使用する。図９に示す生成例では、アクセスコード「ＰＡＳＳＷＯＲＤ」の各文字の１６進ＡＳＣＩＩ表示「50」,「41」〜「44」の合計である「273」、十進数「627」を３４で除算した余り「１５」番の未定義バイトをフレーム同期バイトとしている。
【００３８】
処理回路１０４は、アクセスコードから初期値情報を生成する。図１０の生成例では、アクセスコードの２，６，７文字目「Ａ」，「Ｏ」，「Ｒ」の１６進ＡＳＣＩＩ表示である「41」，「41」，「52」のビットを順に直列連結し最上位ビットを無視したものを初期値としている。この無視は、最大スクランブル段数を２３段としたことに合わせて初期値を２３ビットとしたことによる。
【００３９】
スクランブルパターン発生回路２は、STM-1フレーム信号をタイミング信号とし、かつマッピング情報で指定される時間位置を起点として、初期値情報でスクランブラー１３の初期値を設定し、また復元コードからスクランブラー１３の段数および周期を決定し設定する。例えば、スクランブラー１３の出力可能段数が１１，１５，２０，２３段の４種類、またスクランブラー１３の周期設定が１，２，４，８の４つが可能だとすると、復元コードによりこれらの内からそれぞれ１つを選択する。具体的には、８ビットの復元コード各ビットを加算した結果の下２ビットを使用して段数を決定、２ビット目と３ビット目で周期を決定する。これは一例であり、他の方法を使用しても同様の効果がある。
【００４０】
なお、フレーム同期バイトはスクランブルを行なわないので、スクランブルパターン発生回路２は、STM-1フレーム信号とマッピング情報によってフレーム同期バイト位置のスクランブルを停止する処置を実施したスクランブルパターンをスクランブラー１３に出力する。
【００４１】
フレーム同期パターン発生回路１４は、STM-1フレーム信号をタイミング信号とし、かつマッピング情報で指定される時間位置を起点として、フレーム同期パターン情報と復元コードを使用してフレーム同期パターンを生成する。すなわち、STM-1フレームを１周期としたマルチフレームを構成し、フレーム同期パターン情報を順次、STM-1フレームの決定したマッピング位置に出力する。そして、最後のフレーム同期パターンとして復元コードを出力するのである。
【００４２】
図５はスクランブルパターンとフレーム同期パターンと主信号の関係を示す。図５における各波形はSTM-1フレームを基準としたマルチフレーム構成となっている。フレームの先頭は、使用することが決まった未定義バイトのフレーム同期バイトである。このバイト位置にフレーム同期パターン情報と復元コードが多重される。第１フレームにはフレーム同期パターンの１バイト目のデータが、第２フレームには２バイト目のデータが順次に入る。そして、最終フレームには復元コードが多重される。スクランブルパターンは、フレーム同期バイトまでスクランブルを行うと受信側で同期がとれなくなってしまうため、同期バイト位置のデータはスクランブルを実行しない、つまり、その部分のみデータが“０”となったパターンとなる。
【００４３】
再び図１を参照すると、スクランブラー１３はスクランブルパターンと主信号をスクランブルし、多重化回路１５はスクランブルされた主信号と（STM-1信号に同期した）フレーム同期パターンとを多重し送信フレームとして無線信号処理回路１６に出力する。
【００４４】
図４は、本発明の受信側の制御回路２１の詳細をスクランブルパターン発生回路２２，フレーム同期パターン発生回路２４および分離回路２５と共に示す。制御回路２１は、スクランブルパターン発生回路２２で生成するスクランブルパターン、およびフレーム同期パターン発生回路２４で生成されるフレーム同期パターンの制御を行う回路であり、それらは端末から入力されたアクセスコードを元に行なわれる。
【００４５】
処理回路２０２は送信側の制御回路１１における処理回路１０２、処理回路２０３は送信側の制御回路１１における処理回路１０３、処理回路２０４は送信側の制御回路１１における処理回路１０４にそれぞれ対応し同じ機能を実行する。
【００４６】
図２において、フレーム同期回路２９は、フレームパターン発生回路２４が発生したフレーム同期パターンにより、受信した主信号からフレーム同期パターンを検出してマルチフレームの同期を行う。このとき、フレームの先頭位置を示すフレーム信号を出力する。フレーム同期回路２９は、また暗号化されているSTM-1信号を出力する。
【００４７】
フレーム同期パターン発生回路２４は、処理回路２０２からのフレーム同期パターン情報によりフレーム同期パターンをフレーム同期回路２９に順次送出する。すなわち、フレーム同期回路２９からフレーム信号が入力すると、そのタイミングでフレーム同期パターンをフレーム同期回路２９に出力してフレーム同期を終了する。
【００４８】
分離回路２５は、処理回路２０３らのマッピング情報とフレーム同期回路２９からのフレーム信号を元にSTM-1信号の中から復元コードを分離抽出しスクランブルパターン発生回路２２に出力する。
【００４９】
スクランブルパターン発生回路２２は、処理回路２０４からの初期値情報と、分離回路２５からの復元コードとにより、処理回路２０３からのマッピング情報で指定される時間位置を起点として、スクランブルパターンを生成する。ここで生成されるスクランブルパターンは、復元コードが正し情報であれば、送信側で生成されるスクランブルパターンと同一の筈であるので、デスクランブラー２３で元のSTM-1信号に復元することができる。
【００５０】
一方、アクセスコードが送信側と異なる場合は、制御回路２１で生成されるフレーム同期パターン情報，マッピング情報および初期値情報は、送信側の制御回路１１で生成されたこれらの情報と異なったものとなる。その結果、フレーム同期回路２９はマルチフレーム同期を行うことができず、また、デスクランブラー２３は正しいデスクランブルを行うことができず、STM-1信号を復元することができなくなる。
【００５１】
このように、本発明では、アクセスコードを使用して送信側および受信側で同一のコードを設定したときのみ正しくSTM-1信号を復元することができるようになっている。また、入力したアクセスコードによりフレーム同期パターンを決定していることと、送信側の処理回路１０１に特定の法則に従わずランダムに発生する乱数を使用してスクランブルパターンを生成しているため、無線信号を傍受しても復元が困難である。この結果、容易に信号を復元することのできない簡易盗聴防止機能を有するSDH無線通信装置を実現できる。
【実施例２】
【００５２】
図１１は実施例２の送信側制御回路、図１２は実施例２の受信側制御回路の各詳細図を示す。実施例１では、よりランダム性を持たせ、盗聴を防ぐためにフレーム同期バイトとして使用するバイト位置をアクセスコードによって決定している。これに対して、実施例２は、固定のオーバーヘッドバイト位置、例えばＪ０バイトなどの固定位置に多重するようにしたものである。このため、図１１では、マッピング位置を決定する図３における処理回路１０３が削除され、図１２では、マッピング位置を決定する図４における処理回路２０３が削除された構成となっている。
【００５３】
Ｊ０バイトは、元来パス識別用バイトとして定義されており、無線区間で信号識別用として使用が可能である。さらに、Ｊ０バイトは、１６バイトでマルチフレームを構成することができるようになっているので、Ｊ０バイトをフレーム同期バイトとして使用し、１５バイトを同期用、残余の１バイトを復元コード用として、実施例１におけるのと同様な使い方をするのに適しているのである。
【００５４】
なお、上記の各実施例では、送信側のフレーム同期パターンの最後尾に復元コードを配置しているが、配置位置を変更しても同様の効果を得ることができる。
【００５５】
また、上記の各実施例では、復元コードでスクランブル段数を決定しているが、スクランブル段数を固定して、復元コードでスクランブルパターンの初期値を設定しても同様の効果を得ることができる。
【００５６】
なお、本発明が上記各実施例に限定されず、本発明の技術思想の範囲内において、各実施例は適宜変更され得ることは明らかである。
【図面の簡単な説明】
【００５７】
【図１】本発明の実施例１の送信側構成を示す図
【図２】本発明の実施例１の受信側構成を示す図
【図３】図１における制御回路の詳細図のブロック図
【図４】図２における制御回路の詳細図のブロック図
【図５】STM-1信号オーバーヘッド図
【図６】STM-1信号のオーバーヘッドを示す図
【図７】処理回路１０１の処理アルゴリズムを説明するための図
【図８】処理回路１０２および２０２の処理アルゴリズムを説明するための図
【図９】処理回路１０３および２０３の処理アルゴリズムを説明するための図
【図１０】処理回路１０４および２０４の処理アルゴリズムを説明するための図
【図１１】本発明の実施例２の送信側構成を示す図
【図１２】本発明の実施例２の受信側構成を示す図
【符号の説明】
【００５８】
１０，２０        STM-1信号処理回路
１１，２１        制御回路
１２，２２        スクランブルパターン発生回路
１３              スクランブラー
１４，２４        フレーム同期パターン発生回路
１５              多重化回路
１６，２６        無線信号処理回路
１７              変調回路
１８              送信器
２３              デスクランブラー
２５              分離回路
２７              復調回路
２８              受信器
２９              フレーム同期回路
１０１〜１０４    処理回路
２０１〜２０４    処理回路
【図１】
2005244665.tif 000003
【図２】
2005244665.tif 000004
【図３】
2005244665.tif 000005
【図４】
2005244665.tif 000006
【図５】
2005244665.tif 000007
【図６】
2005244665.tif 000008
【図７】
2005244665.tif 000009
【図８】
2005244665.tif 000010
【図９】
2005244665.tif 000011
【図１０】
2005244665.tif 000012
【図１１】
2005244665.tif 000013
【図１２】
2005244665.tif 000014